(57)【要約】【課題】遊戯性を向上させるクジ付きカードを提供する。【解決手段】クジ付きカード１０は、第１のシート状基材２０と、第２のシート状基材４０と、第１のシート状基材２０に設けられたクジ部２１と、クジ部２１を隠蔽するように、第１のシート状基材２０と第２のシート状基材４０とを擬似接着するクジ用擬似接着層２３と、片面に情報表示部３１を有したカード基材３０と、情報表示部３１を隠蔽するように、第１のシート状基材２０のクジ用擬似接着層２３の接着面の反対面と、カード基材３０とを貼り合わせるカード用擬似接着層２２とを備える。【選択図】図２
2008162045.tif 000002
【特許請求の範囲】
【請求項１】
クジ部を有した第１のシート状基材と、
片面に情報表示部を有したカード基材と、
前記情報表示部を隠蔽するように、前記第１のシート状基材と前記カード基材とを貼り合わせるカード用擬似接着層と、
を備えるクジ付きカード。
【請求項２】
第１のシート状基材と、
第２のシート状基材と、
前記第１のシート状基材及び前記第２のシート状基材の少なくとも一方に設けられたクジ部と、
前記クジ部を隠蔽するように、前記第１のシート状基材と前記第２のシート状基材とを擬似接着するクジ用擬似接着層と、
片面に情報表示部を有したカード基材と、
前記情報表示部を隠蔽するように、前記第１のシート状基材の前記クジ用擬似接着層の接着面の反対面と、前記カード基材とを貼り合わせるカード用擬似接着層と、
を備えるクジ付きカード。
【請求項３】
請求項１に記載のクジ付きカードにおいて、
前記クジ部は、スクラッチ式のクジであること、
を特徴とするクジ付きカード。
【請求項４】
請求項１から請求項３までのいずれか１項に記載のクジ付きカードにおいて、
前記カード基材は、前記情報表示部の周囲に切り込み線を備えること、
を特徴とするクジ付きカード。
【請求項５】
請求項１から請求項４までのいずれか１項に記載のクジ付きカードにおいて、
前記第１のシート状基材の外形寸法は、前記カード基材の外形寸法とは異なること、
を特徴とするクジ付きカード。
【請求項６】
請求項１から請求項５までのいずれか１項に記載のクジ付きカードにおいて、
前記カード基材は、前記情報表示部のある面の反対面に第２の情報表示部を有し、
前記第２の情報表示部を隠蔽する隠蔽基材と、
前記カード基材の前記第２の情報表示部のある面と、前記隠蔽基材とを擬似接着する第２のカード用擬似接着層とを備えること、
を特徴とするクジ付きカード。
【請求項７】
請求項１から請求項６までのいずれか１項に記載のクジ付きカードにおいて、
前記クジ部は、前記第１のシート状基材又は前記第２のシート状基材の複数箇所に設けられること、
を特徴とするクジ付きカード。
【請求項８】
請求項１から請求項７までのいずれか１項に記載のクジ付きカードにおいて、
前記クジ部と、前記情報表示部及び／又は前記第２の情報表示部との情報は、関連していること、
を特徴とするクジ付きカード。
【発明の詳細な説明】
【技術分野】
【０００１】
本発明は、クジとカードとを一体にしたクジ付きカードに関するものである。
【背景技術】
【０００２】
従来、宝クジや、サッカークジなどは、クジの結果を、削ることで表示するスクラッチ式や、隠蔽基材を剥がすことで表示する基材貼付式などにより、実施されている（例えば、特許文献１）。
このようなクジは、購入者が自らクジ部を剥がすなどして、アタリ又はハズレを判断することにより遊戯性を持たせている。しかし、クジが外れた場合では、クジの台紙は、購入者にとって無用となり、廃棄されるだけのものとなっていた。また、購入者に対して無念さをだけを強く残す場合があり、次の購買意欲を低下させてしまう問題があった。
【特許文献１】特願平１１−２５４８７０号公報
【発明の開示】
【発明が解決しようとする課題】
【０００３】
本発明の課題は、遊戯性を向上させるクジ付きカードを提供することである。
【課題を解決するための手段】
【０００４】
本発明は、以下のような解決手段により、前記課題を解決する。なお、理解を容易にするために、本発明の実施例に対応する符号を括弧内に付して説明するが、これに限定されるものではない。
請求項１の発明は、クジ部（２１）を有した第１のシート状基材（２０）と、片面に情報表示部（３１）を有したカード基材（３０）と、前記情報表示部（３１）を隠蔽するように、前記第１のシート状基材（２０）と前記カード基材（３０）とを貼り合わせるカード用擬似接着層（２２）とを備えるクジ付きカード（１０）である。
請求項２の発明は、第１のシート状基材（２０）と、第２のシート状基材（４０）と、前記第１のシート状基材（２０）及び前記第２のシート状基材（４０）の少なくとも一方に設けられたクジ部（２１）と、前記クジ部（２１）を隠蔽するように、前記第１のシート状基材（２０）と前記第２のシート状基材（４０）とを擬似接着するクジ用擬似接着層（２３）と、片面に情報表示部（３１）を有したカード基材（３０）と、前記情報表示部（３１）を隠蔽するように、前記第１のシート状基材（２０）の前記クジ用擬似接着層（２３）の接着面の反対面と、前記カード基材（３０）とを貼り合わせるカード用擬似接着層（２２）とを備えるクジ付きカード（１０−２）である。
請求項３の発明は、請求項１に記載のクジ付きカード（１０−３）において、前記クジ部（２１）は、スクラッチ式のクジであることを特徴とするクジ付きカード（１０−３）である。
請求項４の発明は、請求項１から請求項３までのいずれか１項に記載のクジ付きカード（１０−４）において、前記カード基材（３０）は、前記情報表示部の周囲に切り込み線（３３）を備えることを特徴とするクジ付きカード（１０−４）である。
請求項５の発明は、請求項１から請求項４までのいずれか１項に記載のクジ付きカード（１０）において、前記第１のシート状基材（２０）の外形寸法は、前記カード基材（３０）の外形寸法とは異なることを特徴とするクジ付きカード（１０）である。
請求項６の発明は、請求項１から請求項５までのいずれか１項に記載のクジ付きカード（１０−２）において、前記カード基材（３０）は、前記情報表示部（３１）のある面の反対面に第２の情報表示部（３２）を有し、前記第２の情報表示部（３２）を隠蔽する隠蔽基材（５０）と、前記カード基材（３０）の前記第２の情報表示部（３２）のある面と、前記隠蔽基材（５０）とを擬似接着する第２のカード用擬似接着層（５１）とを備える
ことを特徴とするクジ付きカード（１０−２）である。
請求項７の発明は、請求項１から請求項６までのいずれか１項に記載のクジ付きカード（１０−３）において、前記クジ部（２１）は、前記第１のシート状基材（２０）又は前記第２のシート状基材（４０）の複数箇所に設けられることを特徴とするクジ付きカード（１０−３）である。
請求項８の発明は、請求項１から請求項７までのいずれか１項に記載のクジ付きカード（１０−３）において、前記クジ部（２１）と、前記情報表示部（３１）及び／又は前記第２の情報表示部（３２）との情報は、関連していることを特徴とするクジ付きカード（１０−３）である。
【発明の効果】
【０００５】
以上説明したように、本発明によれば、以下のような効果がある。
（１）クジ付きカードは、カード基材を第１のシート状基材から剥がせるので、クジ部による遊戯性だけでなく、情報表示部を見開いて確認する遊戯性を持たせることができる。また、第１のシート状基材のカード基材と擬似接着される面に、クジ部を設けることにより、カード基材を第１のシート状基材から剥がすことで、クジ部及び情報表示部を同時に見開くことができる。
（２）クジ付きカードは、第２のシート状基材を第１のシート状基材から剥がすことにより、クジ部を見開くことができ、また、第１のシート状基材からカード基材を剥がすことにより、情報表示部を見開くことができるので、クジ付きカードの遊戯性を向上させることができる。
（３）クジ付きカードのクジ部は、スクラッチ式であるので、カード基材の情報表示部とクジ部との見開きを個別に行うことができる。
【０００６】
（４）カード基材は、情報表示部の周囲に切り込み線を備えているので、カード基材の情報表示部のみを第１のシート状基材から折り曲げずに剥がすことができる。
（５）第１のシート状基材の外形寸法は、カード基材の外形寸法とは異なるので、第１のシート状基材からカード基材を剥がしやすくすることができる。
（６）カード基材は、情報表示部の反対面に第２の情報表示部を有し、その面と隠蔽基材とが、第２のカード用擬似接着層を介して貼り合わされているので、カード基材の両面を隠蔽することができる。
（７）クジ部は、第１のシート状基材又は第２のシート状基材の複数箇所に設けられているので、クジの内容を複雑に設定することができる。
（８）クジ部と、情報表示部及び／又は第２の情報表示部とは、ともにサッカーに関連しているので、クジ付きカードの購入者の購入意欲を向上させることができる。
【発明を実施するための最良の形態】
【０００７】
本発明は、遊戯性を向上させるクジ付きカードを提供するという目的を、クジ部を設けた第１のシート状基材に、情報表示部を設けたカード基材を、情報表示部を隠蔽するように擬似接着することにより実現する。
【実施例１】
【０００８】
以下、図面等を参照して、本発明の実施例をあげて、さらに詳しく説明する。
図１は、本発明によるクジ付きカードの実施例１の詳細を示す図であり、図１（Ａ）は、クジ付きカードの平面図であり、図１（Ｂ）は、図１（Ａ）の側面図であり、図１（Ｃ）は、第１のシート状基材からカード基材を剥がしたときの図である。
【０００９】
クジ付きカード１０は、図１に示すように、第１のシート状基材２０、カード用擬似接着層２２及び情報表示部３１を有したカード基材３０を有している。
第１のシート状基材２０は、クジ部２１及びカード用擬似接着層２２を有し、カード基
材３０の情報表示部３１の隠蔽機能を兼ねたクジの台紙である。
クジ部２１は、図１（Ｃ）に示すように、クジの「アタリ」又は「ハズレ」の表示が、第１のシート状基材２０の表面に印刷された印刷層である。
【００１０】
カード用擬似接着層２２は、酢酸ビニル樹脂又はエチレン−酢酸ビニル共重合体を主体とするエマルション型接着剤及び剥離層を順に、第１のシート状基材２０の表面に厚さ約１０μｍで形成し、擬似的な接着特性を有した接着層である。カード用擬似接着層２２は、クジ部２１及び情報表示部３１を隠蔽するようにして、第１のシート状基材２０とカード基材３０とを擬似接着する。
カード基材３０は、第１のシート状基材２０と、カード用擬似接着層２２を介して擬似接着されるカードであり、情報表示部３１を有している。また、カード基材３０の外形は、第１のシート状基材２０の外形より小さく形成されている。
情報表示部３１は、アニメーションのキャラクターが、カード基材３０の裏面に印刷された印刷層である。
【００１１】
次に、クジ付きカード１０の使用方法について説明する。
購入者は、クジ付きカード１０を小売店などから購入したら、カード基材３０を、第１のシート状基材２０から剥がす（矢印Ａ）。このときに、第１のシート状基材２０の剥離面からは、クジ部２１の「アタリ」又は「ハズレ」が表出し、「アタリ」の場合は、もう１枚、クジ付きカード１０を無償で小売店から貰うことができる。
また、これと同時に、剥がしたカード基材３０の裏面からは、アニメーションのキャラクターである情報表示部３１が表出し、購入者がクジをするとともに、カード基材３０を収集することができる。
【００１２】
以上より、実施例１のクジ付きカードには以下のような効果がある。
（１）クジ付きカード１０は、カード基材３０を第１のシート状基材２０から剥がせるので、クジ部２１による遊戯性だけでなく、情報表示部３１を見開いて確認する遊戯性を備えることができる。また、第１のシート状基材２０のカード基材３０と擬似接着される面に、クジ部２１を設けているので、カード基材３０を第１のシート状基材２０から剥がすことで、クジ部２１及び情報表示部３１を同時に見開くことができる。
（２）第１のシート状基材２０の外形寸法は、カード基材３０の外形寸法より大きいので、第１のシート状基材２０からカード基材３０を、折り曲げることなく、容易に剥がすことができる。
【実施例２】
【００１３】
図２は、本発明によるクジ付きカードの実施例２の詳細を示す図である。図２（Ａ）は、クジ付きカードの平面図であり、図２（Ｂ）は、図２（Ａ）の側面図であり、図２（Ｃ）は、カード基材を第１のシート状基材から剥がし、また、隠蔽基材をカード基材から剥がしたときの図であり、図２（Ｄ）は、第１のシート状基材の裏面から第２のシート状基材を剥がしたときの図である。
なお、前述した実施例１と同様な機能を果たす部分には、同一の符号又は末尾に統一した符号を付して、重複する説明や図面を適宜省略する。
【００１４】
クジ付きカード１０−２は、図２に示すように、クジ部２１を有した第１のシート状基材２０、カード用擬似接着層２２、クジ用擬似接着層２３、情報表示部３１を有したカード基材３０、第２のシート状基材４０、隠蔽基材５０及び第２のカード用擬似接着層５１を有している。
第１のシート状基材２０は、表面にカード用擬似接着層２２、裏面にクジ部２１及びクジ用擬似接着層２３を有し、カード基材３０の情報表示部３１の隠蔽機能を兼ねたクジの台紙である。
【００１５】
クジ用擬似接着層２３は、カード用擬似接着層２２と同種の接着層であり、第１のシート状基材２０の裏面に厚さ約１０μｍで形成され、擬似的な接着特性を有している。クジ用擬似接着層２３は、第１のシート状基材２０と第２のシート状基材４０とを、クジ部２１を隠蔽するようにして擬似接着している。
カード基材３０は、表面に情報表示部３１を、裏面に第２の情報表示部３２を有しているカードである。
第２の情報表示部３２は、図２（Ｄ）に示すように、情報表示部３１に表示されるアニメーションのキャラクターの情報を、カード基材３０に印刷した印刷層である。
【００１６】
第２のシート状基材４０は、第１のシート状基材２０の外形寸法と同じ寸法の紙片であり、クジ用擬似接着層２３を介し、クジ部２１を隠蔽するようにして、第１のシート状基材２０と擬似接着される。
隠蔽基材５０は、片面に第２のカード用擬似接着層５１を有し、カード基材３０の外形寸法と同じ寸法の紙片であり、第２のカード用擬似接着層５１を介して、第２の情報表示部３２を隠蔽するようにして、カード基材３０と擬似接着される。
第２のカード用擬似接着層５１は、カード用擬似接着層２２と同種の接着層であり、隠蔽基材５０に厚さ約１０μｍで形成され、擬似的な接着特性を有している。
【００１７】
次に、クジ付きカード１０−２の使用方法について説明する。
購入者は、クジ付きカード１０−２を小売店などから購入したら、まず、図２（Ｃ）に示すように、カード基材３０を、第１のシート状基材２０から剥がし（矢印Ａ）、続いて、隠蔽基材５０を、カード基材３０から剥がす（矢印Ｂ）。これにより、カード基材３０は、表面のアニメーションのキャラクターである情報表示部３１と、裏面のキャラクターの情報である第２の情報表示部３２とを表出する（図２（Ｄ）参照）。
【００１８】
次に、購入者は、図２（Ｄ）に示すように、第１のシート状基材２０から、第２のシート状基材４０を剥がし（矢印Ｃ）、隠蔽されていたクジ部２１を表出させ、クジ部２１が「アタリ」の印刷である場合は、もう１枚、クジ付きカード１０−２を無償で小売店から貰うことができる。
なお、カード基材３０、第２のシート状基材４０及び隠蔽基材５０の剥離作業は、上述の順番に限られず、購入者の興味に応じて変更されてもよい。
【００１９】
以上より、実施例２のクジ付きカードには以下のような効果がある。
（１）クジ付きカード１０−２は、第２のシート状基材４０を第１のシート状基材２０から剥がすことにより、クジ部２１を見開くことができ、また、第１のシート状基材２０からカード基材３０を剥がすことにより情報表示部３１を見開くことができるので、クジ部２１と情報表示部３１とを段階的に見開くことができ、クジ付きカード１０−２の遊戯性を向上させることができる。
（２）カード基材３０は、情報表示部３１の反対面に第２の情報表示部３２を有し、その面と隠蔽基材５０とが、第２のカード用擬似接着層５１を介して貼り合わされているので、カード基材３０の両面を隠蔽するとともに、カード基材３０を見開いて確認する遊戯性を向上させることができる。
【実施例３】
【００２０】
図３は、本発明による実施例３のクジ付きカードの詳細を示す図である。図３（Ａ）は、第１のシート状基材の裏面を示す平面図であり、図３（Ｂ）は、図３（Ａ）の側面図である。
クジ付きカード１０−３は、図３に示すように、複数のクジ部２１を有した第１のシート状基材２０、カード用擬似接着層２２及び情報表示部３１を有したカード基材３０を有
している。クジ付きカード１０は、サッカーの試合結果を予測するクジ（サッカークジ）の遊戯性と、隠蔽された情報表示部３１を見開いて確認する遊戯性とを備えたカードである。
クジ部２１は、第１のシート状基材２０の裏面に縦２列、横１０行、合計２０箇所設けられ、サッカーの試合の結果を予測するスクラッチ式のクジである。
情報表示部３１は、サッカー選手の写真が、カード基材３０の表面に印刷された印刷層である。
【００２１】
次に、クジ付きカード１０−３の使用方法について説明する。
クジ付きカード１０−３の購入者は、第１のシート状基材２０の裏面に設けられたクジ部２１を、自らが予測したサッカーの試合のスコアに基づいて、特定のスクラッチ式のクジ部２１を削る。例えば、Ａチーム対Ｂチームの試合結果を、２対３と予測したら、図３（Ａ）に示すように、Ａチームの「２」のクジ部２１と、Ｂチームの「３」のクジ部２１とを削ずる。サッカーの試合後のスコアが、削ったクジ部のスコアと同じであれば、所定の賞金又は商品が、購入者に渡される。
仮に、予想が外れたとしても、購入者は、第１のシート状基材２０の表面から剥がされた（矢印Ａ）サッカー選手の写真であるカード基材３０を手に入れることができ、予想が外れた不満を解消することができる。
【００２２】
以上より、実施例３のクジ付きカードには以下のような効果がある。
（１）クジ付きカード１０のクジ部２１は、スクラッチ式であるので、カード基材３０の情報表示部３１と、クジ部２１との見開きを個別に行うことができる。
（２）クジ部２１は、第１のシート状基材２０の複数箇所に設けられているので、クジの内容を複雑に設定することができる。
（３）クジ部２１と情報表示部３１とは、両者ともにサッカーに関連しているので、クジ付きカード１０の購入者の購入意欲を向上させることができる。
【００２３】
（変形例）
以上説明した実施例に限定されることなく、種々の変形や変更が可能であって、それらも本発明の均等の範囲内である。
（１）第１のシート状基材２０及びカード基材３０の外形寸法を同形状にし、図４に示すように、情報表示部３１の周囲に切り込み線３３を備えて、カード部３０−１及び縁部３０−２に分離することも可能である。このような形態にすることで、カード部３０−１を第１のシート状基材２０から剥がすときに、縁部３０−２を湾曲させて、情報表示部３１を有したカード部３０−１を折り曲げることなく剥がすことができる。
（２）実施例２では、第１のシート状基材２０に、クジ部２１及びクジ用擬似接着層２３を設けたが、第２のシート状基材４０に設けてもよい。また、クジ部２１及びクジ用擬似接着層２３のどちらか一方を第１のシート状基材２０に、他方を第２のシート状基材４０に設けることも可能である。
【図面の簡単な説明】
【００２４】
【図１】本発明によるクジ付きカードの実施例１を示す平面図である。
【図２】本発明によるクジ付きカードの実施例２を示す平面図である。
【図３】本発明による実施例の変形例を示す図である。
【図４】本発明による実施例の変形例を示す図である。
【符号の説明】
【００２５】
１０  クジ付きカード
２０  第１のシート状基材
２１  クジ部
２２  カード用擬似接着層
３０  カード基材
３１  情報表示部
【図１】
2008162045.tif 000003
【図２】
2008162045.tif 000004
【図３】
2008162045.tif 000005
【図４】
2008162045.tif 000006